(57)【要約】【課題】収納された歯科インプラント用のフィクスチャーの表面、特にフィクスチャーの骨埋入部の表面、に不純物が付着し難く、使用直前までフィクスチャーの表面の衛生状態を維持し易いフィクスチャー用収納容器を提供する。【解決手段】フィクスチャー用収納容器を、一端が閉ざされていて他端に設けられたフィクスチャー挿入口側から歯科インプラント用のフィクスチャーが収納される収納体本体１と、収納体本体１のフィクスチャー挿入口側に装着される蓋体とから構成し、フィクスチャーの骨埋入部の表面に接触可能な内部気体が流動できる収納体本体１内の空間の体積を、収納されるフィクスチャーの骨埋入部の体積の１.３〜４倍とし、且つその内部気体が接触可能な収納体本体１の内面の面積を、収納されるフィクスチャーの骨埋入部の表面積の５倍以上とする。【選択図】図２
2009045214.tif 000002
【特許請求の範囲】
【請求項１】
一端が閉ざされていて他端に設けられたフィクスチャー挿入口側から歯科インプラント用のフィクスチャー(Ｘ)が収納される収納体本体(１)と、該収納体本体(１)のフィクスチャー挿入口側に装着される蓋体(２)とから成り、
該フィクスチャー(Ｘ)の骨埋入部(Xa)の表面に接触可能な内部気体が流動できる該収納体本体(１)内の空間の体積が、収納されるフィクスチャー(Ｘ)の骨埋入部(Xa)の体積の１.３〜４倍であり、且つその内部気体が接触可能な該収納体本体(１)の内面の面積が、収納されるフィクスチャー(Ｘ)の骨埋入部(Xa)の表面積の５倍以上であることを特徴とするフィクスチャー用収納容器。
【請求項２】
内部気体が接触可能な収納体本体(１)の内面に高低差が０.１〜１.５ｍｍの凹凸が設けられている請求項１に記載のフィクスチャー用収納容器。
【請求項３】
内部気体が接触可能な収納体本体(１)の内面の十点平均粗さが３〜８μｍである請求項１又は２に記載のフィクスチャー用収納容器。
【請求項４】
薄肉で横断面が略円弧状又は略円形状をなす内装体(３)が内部に装着され一端が閉ざされていて他端に設けられたフィクスチャー挿入口側から歯科インプラント用のフィクスチャー(Ｘ)が該内装体(３)とは接触しない状態で収納される収納体本体(１)と、該収納体本体(１)のフィクスチャー挿入口側に装着される蓋体(２)とから成り、
該フィクスチャー(Ｘ)の骨埋入部(Xa)の表面に接触可能な内部気体が流動できる該収納体本体(１)内の空間の体積が、収納されるフィクスチャー(Ｘ)の骨埋入部(Xa)の体積の１.３〜４倍であり、且つ該収納体本体(１)と該内装体(３)の内部気体が接触可能な部位の面積が、収納されるフィクスチャー(Ｘ)の骨埋入部(Xa)の表面積の５倍以上であることを特徴とするフィクスチャー用収納容器。
【請求項５】
内部気体が接触可能な、収納体本体(１)の内面と、内装体(３)の内面と、該内装体(３)の外面との少なくともいずれかに高低差が０.１〜１.５ｍｍの凹凸が設けられている請求項４に記載のフィクスチャー用収納容器。
【請求項６】
内部気体が接触可能な、収納体本体(１)の内面と、内装体(３)の内面と、該内装体(３)の外面との少なくともいずれかの十点平均粗さが３〜８μｍである請求項４又は５に記載のフィクスチャー用収納容器。
【請求項７】
内装体(３)がチタン又はチタン合金から形成されている請求項４から６までのいずれか１項に記載のフィクスチャー用収納容器。
【請求項８】
収納体本体(１)がチタン，チタン合金又はガラスのいずれかから形成されている請求項１から７までのいずれか１項に記載のフィクスチャー用収納容器。
【請求項９】
収納体本体(１)と蓋体(２)との間に装着される密閉用のパッキン(４)を更に有する請求項１から８までのいずれか１項に記載のフィクスチャー用収納容器。
【発明の詳細な説明】
【技術分野】
【０００１】
本発明は、収納された歯科インプラント用のフィクスチャーの表面、特にフィクスチャーの骨埋入部の表面に不純物が付着することを防止して、使用直前までフィクスチャーの表面の衛生状態を維持し易いフィクスチャー用収納容器に関するものである。
【０００２】
歯科用インプラントのフィクスチャーは顎骨に埋入されるため、特にフィクスチャーの骨埋入部の表面が衛生的であることが強く求められている。これは、フィクスチャーが顎骨に埋入された際に、骨埋入部の表面への骨の生成は、フィクスチャーの骨埋入部の表面形状だけではなく、フィクスチャーの骨埋入部の表面の清浄度に大きく依存することから、歯科用インプラント治療を行う上でフィクスチャーの表面、特にフィクスチャーの骨埋入部の表面に多くの不純物が付着しないようにすることが非常に重要であるからである。
【０００３】
このようなフィクスチャーの表面の衛生状態を保つための工夫が施されたインプラントシステムとして、歯科インプラント（フィクスチャー）とその歯科インプラントの口腔内側に装着される保持部材やクランプ部材等から構成されているインプラントシステムがある（例えば、特許文献１参照。）。しかしながら、このインプラントシステムは、フィクスチャーに直接手で触ることがないように単に保持部材等が設けられているだけであり、周りの環境からフィクスチャーの表面に不純物等が付着することを防止するような工夫は何もなされていない。
【０００４】
このような周りの環境からフィクスチャーの表面に不純物等が付着することを防止するために、フィクスチャー用収納容器内を略真空状態にして密閉することがしばしば行われている。
しかしながら、フィクスチャー用収納容器内を略真空状態にして不純物の量を低減しても、既にフィクスチャー用収納容器内に付着していた不純物が搬送の際などに剥がれてフィクスチャー用収納容器内を漂うこともあり、フィクスチャー用収納容器内に残存していた不純物が経時的に徐々にフィクスチャーに付着していく。従ってフィクスチャーがフィクスチャー用収納容器内で長期間に亘って保管されると、フィクスチャーの表面にはどうしても不純物が付着するため、略真空状態にするか否かに拘わらず、開封前のフィクスチャー用収納容器内でフィクスチャーの表面に不純物が付着することを防止する対策が必要となるのである。
【０００５】
【特許文献１】特開２００６−４３４５３号公報
【発明の開示】
【発明が解決しようとする課題】
【０００６】
本発明は前記の問題に鑑み、収納された歯科インプラント用のフィクスチャーの表面、特にフィクスチャーの骨埋入部の表面に不純物が付着し難く、使用直前までフィクスチャーの表面の衛生状態を維持し易いフィクスチャー用収納容器を提供することを課題とする。
【課題を解決するための手段】
【０００７】
本発明者らは前記課題を解決すべく鋭意検討を重ねた結果、フィクスチャーが収納される収納体本体内のフィクスチャーの骨埋入部の表面に接触可能な内部気体が流動できる収納体本体内の空間の体積を小さくして収納体本体内の空間内の不純物の総量を少なくした状態で収納体本体の内面積をフィクスチャーの骨埋入部の表面積と比べて大きくすれば、不純物は分散して付着するので収納体本体の内面積に比較して表面積の小さいフィクスチャーの骨埋入部の表面に付着する不純物が相対的に減ると考え、
フィクスチャー用収納容器を、一端が閉ざされていて他端に設けられたフィクスチャー挿入口側から歯科インプラント用のフィクスチャーが収納される収納体本体と、収納体本体のフィクスチャー挿入口側に装着される蓋体とから構成させ、フィクスチャーの骨埋入部の表面に接触可能な内部気体が流動できる収納体本体内の空間の体積が、収納されるフィクスチャーの骨埋入部の体積の１.３〜４倍であり、且つその内部気体が接触可能な収納体本体の内面の面積が、収納されるフィクスチャーの骨埋入部の表面積の５倍以上であるか、又は、
フィクスチャー用収納容器を、薄肉で横断面が略円弧状又は略円形状をなす内装体が内部に装着され一端が閉ざされていて他端に設けられたフィクスチャー挿入口側から歯科インプラント用のフィクスチャーが内装体とは接触しない状態で収納される収納体本体と、収納体本体のフィクスチャー挿入口側に装着される蓋体とから構成させ、フィクスチャーの骨埋入部の表面に接触可能な内部気体が流動できる収納体本体内の空間の体積が、収納されるフィクスチャーの骨埋入部の体積の１.３〜４倍であり、且つ収納体本体と内装体の内部気体が接触可能な部位の面積が、収納されるフィクスチャーの骨埋入部の表面積の５倍以上であれば、
フィクスチャーの骨埋入部の表面積に比べて、内部気体が接触可能な収納体本体の内面の面積又は収納体本体と内装体の内部気体が接触可能な部位の面積が５倍以上であるから、不純物の大部分は収納体本体の内面や内装体に付着するのでフィクスチャーの骨埋入部の表面積を衛生的に保つことができ、またフィクスチャーを取り出す際や搬送の際に、フィクスチャーが収納体本体の内面や内装体の内面と接触してフィクスチャーの骨埋入部の表面に不純物が付着したり、フィクスチャーが損傷したりしないように、フィクスチャーの骨埋入部の表面と収納体本体の内面や内装体の内面との間に十分な隙間が必要となるので、フィクスチャーの骨埋入部の表面に接触可能な内部気体が流動できる収納体本体内の空間の体積を少なくともフィクスチャーの骨埋入部の体積の１.３倍以上の大きさにする必要があるが、内部気体が流動できる収納体本体内の空間の体積を大きくし過ぎると、収納体本体内の不純物の量が相対的に増えるので、内部気体が流動できる収納体本体内の空間の体積をフィクスチャーの骨埋入部の体積の４倍以下に抑える必要があることを究明して本発明を完成したのである。
【０００８】
即ち、本発明は一端が閉ざされていて他端に設けられたフィクスチャー挿入口側から歯科インプラント用のフィクスチャーが収納される収納体本体と、収納体本体のフィクスチャー挿入口側に装着される蓋体とから成り、フィクスチャーの骨埋入部の表面に接触可能な内部気体が流動できる収納体本体内の空間の体積が、収納されるフィクスチャーの骨埋入部の体積の１.３〜４倍であり、且つその内部気体が接触可能な収納体本体の内面の面積が、収納されるフィクスチャーの骨埋入部の表面積の５倍以上であることを特徴とするフィクスチャー用収納容器と、
薄肉で横断面が略円弧状又は略円形状をなす内装体が内部に装着され一端が閉ざされていて他端に設けられたフィクスチャー挿入口側から歯科インプラント用のフィクスチャーが内装体とは接触しない状態で収納される収納体本体と、収納体本体のフィクスチャー挿入口側に装着される蓋体とから成り、フィクスチャーの骨埋入部の表面に接触可能な内部気体が流動できる収納体本体内の空間の体積が、収納されるフィクスチャーの骨埋入部の体積の１.３〜４倍であり、且つ収納体本体と内装体の内部気体が接触可能な部位の面積が、収納されるフィクスチャーの骨埋入部の表面積の５倍以上であることを特徴とするフィクスチャー用収納容器とである。
【０００９】
また、内装体を有していない態様では内部気体が接触可能な収納体本体の内面に、また内装体を有している態様では内部気体が接触可能な、収納体本体の内面と、内装体の内面と、内装体の外面との少なくともいずれかに、内部気体が接触可能な部位の面積を大きくするために高低差が０.１〜１.５ｍｍの凹凸を設ければ、高低差が１.５ｍｍ以下の小さな凹凸であるから、収納体本体や内装体の内径をあまり大きくしなくとも容易に凹凸が設けられるので、内部気体が流動できる収納体本体内の空間の体積をフィクスチャーの骨埋入部の体積の４倍以下に抑え易く、また高低差が小さ過ぎると加工が難しいが、高低差が０.１ｍｍ以上であるから比較的容易に加工ができて好ましく、
更に内装体を有していない態様では内部気体が接触可能な収納体本体の内面の十点平均粗さが、また内装体を有している態様では内部気体が接触可能な、収納体本体の内面と、内装体の内面と、内装体の外面との少なくともいずれかの十点平均粗さを３〜８μｍとすれば、簡単な表面処理を施すだけで内部気体が接触可能な収納体本体の内面の面積や、収納体本体と内装体の内部気体が接触可能な部位の面積を容易に大きくすることができて好ましいのである。
【００１０】
また両態様において収納体本体がチタン，チタン合金又はガラスのいずれかから形成されている場合や、内装体を有する態様において内装体がチタン又はチタン合金から形成されている場合には、収納体本体や内装体がフィクスチャーと同じチタンやチタン合金製であるから、不純物の付着のし易さが収納体本体や内装体とフィクスチャーの骨埋入部とで同程度となり、相対的に表面積の小さいフィクスチャーに付着する不純物を確実に減らすことができ、また収納体本体がガラスであれば安価且つ容易に製造できて好ましいのである。
そして両態様において、収納体本体と蓋体との間に装着される密閉用のパッキンを更に有している場合には、減圧密閉した際にもその状態を維持し易く、またフィクスチャー用収納容器内に外部から不純物が侵入することもなくて好ましいのである。
【発明の効果】
【００１１】
本発明に係るフィクスチャー用収納容器は、一端が閉ざされていて他端に設けられたフィクスチャー挿入口側から歯科インプラント用のフィクスチャーが収納される収納体本体と、収納体本体のフィクスチャー挿入口側に装着される蓋体とから成り、フィクスチャーの骨埋入部の表面に接触可能な内部気体が流動できる収納体本体内の空間の体積が、収納されるフィクスチャーの骨埋入部の体積の１.３〜４倍であり、且つその内部気体が接触可能な収納体本体の内面の面積が、収納されるフィクスチャーの骨埋入部の表面積の５倍以上であるか、
又はフィクスチャー用収納容器を、薄肉で横断面が略円弧状又は略円形状をなす内装体が内部に装着され一端が閉ざされていて他端に設けられたフィクスチャー挿入口側から歯科インプラント用のフィクスチャーが内装体とは接触しない状態で収納される収納体本体と、収納体本体のフィクスチャー挿入口側に装着される蓋体とから成り、フィクスチャーの骨埋入部の表面に接触可能な内部気体が流動できる収納体本体内の空間の体積が、収納されるフィクスチャーの骨埋入部の体積の１.３〜４倍であり、且つ収納体本体と内装体の内部気体が接触可能な部位の面積が、収納されるフィクスチャーの骨埋入部の表面積の５倍以上であるから、
フィクスチャーの骨埋入部の表面積に比べて、内部気体が接触可能な収納体本体の内面の面積又は収納体本体と内装体の内部気体が接触可能な部位の面積が５倍以上であるので、不純物の大部分は収納体本体の内面や内装体に付着するため、フィクスチャーの骨埋入部の表面積を衛生的に保つことができ、また内部気体が接触可能な収納体本体の内面の面積又は収納体本体と内装体の内部気体が接触可能な部位の面積が大きいにも拘わらず、接触可能な内部気体が流動できる収納体本体内の空間の体積はフィクスチャーの骨埋入部の体積の４倍以下であるから、収納体本体内にできる不要な空間が少なく、収納体本体内の不純物の総量を少なくできるので、フィクスチャーの骨埋入部の表面に付着する不純物の量を少なくしてフィクスチャーの骨埋入部の表面の衛生状態を容易に維持でき、また接触可能な内部気体が流動できる収納体本体内の空間の体積はフィクスチャーの骨埋入部の体積の１.３倍以上であるから、フィクスチャーの骨埋入部の表面と収納体本体の内面や内装体の内面との間に十分な隙間ができるので、フィクスチャーを取り出す際や搬送の際に、フィクスチャーが収納体本体の内面や内装体の内面と接触して、フィクスチャーの骨埋入部の表面に不純物が付着したり、フィクスチャーが損傷したりすることがない。
【００１２】
また、内装体を有していない態様では内部気体が接触可能な収納体本体の内面に、また内装体を有している態様では内部気体が接触可能な、収納体本体の内面と、内装体の内面と、内装体の外面との少なくともいずれかに、内部気体が接触可能な部位の面積を大きくするために高低差が０.１〜１.５ｍｍの凹凸を設けられている場合には、高低差が１.５ｍｍ以下の小さな凹凸であるから、収納体本体や内装体の内径をあまり大きくしなくとも容易に凹凸が設けられるので、内部気体が流動できる収納体本体内の空間の体積をフィクスチャーの骨埋入部の体積の４倍以下に抑え易く、また高低差が小さ過ぎると加工が難しい上に、面積を十分に確保するには多数の凹凸を設けなければならなくなるので加工が更に困難となるが、高低差が０.１ｍｍ以上であるから比較的容易に加工ができ、
更に内装体を有していない態様では内部気体が接触可能な収納体本体の内面の十点平均粗さが、また内装体を有している態様では内部気体が接触可能な、収納体本体の内面と、内装体の内面と、内装体の外面との少なくともいずれかの十点平均粗さが３〜８μｍである場合には、簡単な表面処理を施すだけで内部気体が接触可能な収納体本体の内面の面積や、収納体本体と内装体の内部気体が接触可能な部位の面積を容易に大きくすることができるのである。
【００１３】
また両態様において収納体本体がチタン，チタン合金又はガラスのいずれかから形成されている場合や、内装体を有する態様において内装体がチタン又はチタン合金から形成されている場合には、収納体本体や内装体がフィクスチャーと同じチタンやチタン合金製であるから、不純物の付着のし易さが収納体本体や内装体とフィクスチャーの骨埋入部とで同程度となり、相対的に表面積の小さいフィクスチャーに付着する不純物を確実に減らすことができ、また収納体本体がガラスであれば安価且つ容易に製造でき、そして両態様において、収納体本体と蓋体との間に装着される密閉用のパッキンを更に有している場合には、減圧密閉した際にもその状態を維持し易く、またフィクスチャー用収納容器内に外部から不純物が流入することもないのである。
【発明を実施するための最良の形態】
【００１４】
以下、図面を用いて本発明に係るフィクスチャー用収納容器について詳細に説明する。
図１は本発明に係るフィクスチャー用収納容器の一実施例を示す斜視図、図２は図１のフィクスチャー用収納容器から蓋体を取り外した状態を示す斜視図、図３は図２の拡大平面図、図４は図１の本発明に係るフィクスチャー用収納容器内にマウントが装着されたフィクスチャーが収納されている様子を示す要部断面説明図、図５は収納されたフィクスチャーが蓋部に装着された押さえ棒によって固定されている様子を示す本発明に係るフィクスチャー用収納容器の他の実施例の要部断面説明図、図６は図５のフィクスチャー用収納容器から蓋体とフィクスチャーとを取り外した状態を示す拡大平面図、図７は収納体本体内から内装体を取り外した様子を示す本発明に係るフィクスチャー用収納容器の更に他の実施例を示す斜視図である。
【００１５】
図面中、Ｘは歯科インプラント用のフィクスチャーであって、本発明に係るフィクスチャー用収納容器では、収納されるフィクスチャーＸに特に限定はないが、例えば図４及び図５のように先端側におねじが成形されていて、またそのおねじ部分にはセルフタッピング用の切り刃溝が設けられているスクリュー型の歯科インプラント用のフィクスチャーなどを収納させることができ、またこのフィクスチャーＸは生体親和性と強度とを備え且つ骨と良好に結合するチタン又はチタン合金から形成されているとよい。なおフィクスチャーＸの骨埋入部Xaとは、フィクスチャーＸの顎骨に埋入される部分であり、フィクスチャーＸの略おねじが形成されている部位に相当する。
【００１６】
１は一端が閉ざされていて他端に設けられたフィクスチャー挿入口側から歯科インプラント用のフィクスチャーＸが収納される収納体本体であり、この収納体本体１は、後述する内装体３を有していない態様では、フィクスチャーＸの骨埋入部Xaの表面に接触可能な内部気体が流動できる収納体本体内の空間の体積が収納されるフィクスチャーＸの骨埋入部Xaの体積の１.３〜４倍で且つ収納されるフィクスチャーＸの骨埋入部Xaの表面積の５倍以上の内面積を有するように形成されている。また２は収納体本体１のフィクスチャー挿入口側に装着される蓋体である。
【００１７】
３は薄肉で横断面が略円弧状又は略円形状をなす内装体であり、この内装体３が収納体本体１の内部に装着される態様では、歯科インプラント用のフィクスチャーＸは、内装体３とは接触しない状態で収納体本体１に収納される。
この内装体３を有している態様では、予め凹凸や粗面化処理を施した内装体３を収納体本体１に収納するだけでフィクスチャーＸの骨埋入部Xaの表面に接触可能な内部気体が接触可能な部位の面積を容易に大きくでき、収納体本体１に直接凹凸を設けたり粗面化処理を施すよりも簡便に製造できる。
【００１８】
フィクスチャーＸを取り出す際や搬送の際に、フィクスチャーＸが収納体本体１の内面や内装体３の内面と接触して、フィクスチャーＸの骨埋入部Xaの表面に不純物が付着したり、フィクスチャーが損傷したりすることがないようにするには、フィクスチャーＸの骨埋入部Xaの表面と収納体本体１の内面や内装体３の内面との間に隙間が必要となるので、フィクスチャーＸの骨埋入部Xaの表面に接触可能な内部気体が流動できる収納体本体１内の空間の体積はフィクスチャーＸの骨埋入部Xaの体積に比べて或る程度大きなものにしなければならない。
従ってフィクスチャーＸの骨埋入部Xaの表面と、収納体本体１の内面や内装体３の内面との間に十分な隙間を設けると扱い易くなるので、内部気体が流動できる収納体本体１内の空間の体積を少なくともフィクスチャーＸの骨埋入部Xaの体積の１.３倍以上にする必要があるが、あまり大きくし過ぎると、収納体本体１内の不純物の総量が増え、フィクスチャーＸの骨埋入部Xaの表面を衛生的に維持できない。従って、内部気体が流動できる収納体本体１内の空間の体積はできるだけ小さい方が好ましいので、フィクスチャーＸの骨埋入部Xaの体積の４倍以下とする必要がある。
【００１９】
また従来、フィクスチャーＸの骨埋入部Xaの表面に付着する不純物を減らすために、主に減圧することしか考えられておらず、フィクスチャーＸが収納される収納体本体１内のフィクスチャーＸの骨埋入部Xaの表面に接触可能な内部気体が流動できる収納体本体１内の空間の体積を小さくして収納体本体１内の空間内の不純物の総量を少なくした状態で収納体本体１の内面積をフィクスチャーＸの骨埋入部Xaの表面積に比べて大きくすることで、相対的にフィクスチャーＸの骨埋入部Xaの表面に付着する不純物を減らそうとする発想はなかった。
そのため従来の収納体本体１では、その内面が平滑面となっているものが多く、収納体本体１の内面積とフィクスチャーＸの骨埋入部Xaの表面積とには大きな差がなかった。これに対して本発明に係るフィクスチャー用収納容器は、内部気体が流動できる収納体本体１内の空間の体積を少なくともフィクスチャーＸの骨埋入部Xaの体積の１.３倍以上、４倍以下とし、且つ収納体本体１の内面積をフィクスチャーＸの骨埋入部Xaの表面積の５倍以上としたり、別途内装体３を設けてフィクスチャーＸの骨埋入部Xaの表面積の５倍以上の面積となるようにすることで、相対的にフィクスチャーＸの骨埋入部Xaの表面に付着する不純物を減らすことができる非常に特殊なフィクスチャー用収納容器である。なお、フィクスチャーＸの骨埋入部Xaの表面積の５倍以上としたのは、５倍未満であると、不純物を十分に収納体本体１の内面に付着させることができないからである。
【００２０】
なお、フィクスチャーＸの骨埋入部Xaの表面に付着する不純物の量は、収納体本体１に装着される蓋体２の内部気体が流動できる空間の体積及び内面積による影響も考えられるが、収納体本体１と蓋体２とは収納されたフィクスチャーＸに装着されたマウント等によって遮断されフィクスチャー用収納容器内でそれぞれ独立した内空間を形成することが多く、その場合には蓋体２内の不純物が収納体本体１内に収納されたフィクスチャーＸの骨埋入部Xaの表面に付着することはなく、また仮に収納体本体１と蓋体２との内空間が連通しているような場合であっても、一般に蓋体２の内空間は収納体本体１の内空間に比べて小さいため、蓋体２の内空間内の不純物の影響は少なく、更に蓋体２の内面積の大きさは、フィクスチャーＸの骨埋入部Xa以外の蓋体２側に位置する部位に付着する不純物の量を低減することには寄与すると考えられるが、蓋体２の反対側に位置するフィクスチャーＸの骨埋入部Xaに付着する不純物の量にまでは大きな影響を及ぼさないと考えられるため、本発明ではフィクスチャーＸの骨埋入部Xaに付着する不純物の量に影響の大きい収納体本体１や収納体本体１の内部に装着される内装体３との関係を規定した。
【００２１】
また本発明は、収納体本体１や内装体３の面積を大きくして、相対的にフィクスチャーＸの骨埋入部Xaの表面に付着する不純物を低減させようとするものであるから、搬送の際などにフィクスチャーＸの骨埋入部Xaの表面が不純物が付着した収納体本体１の内面や内装体３の内面に接しないように、しっかりと固定された状態で収納されることが重要となる。
そのため、例えば、図４のようにフィクスチャーＸにマウント５を予め装着して収納体本体１内に吊り下げた状態にしてしっかりと固定して収納させたり、図５のようにフィクスチャーＸを挿入した際にその先端のみを収納体本体１の内部に当接させて、蓋部２に嵌合された押さえ棒６をフィクスチャーＸの上方側に形成された穴部に挿入してフィクスチャーＸを支持させてフィクスチャーＸをしっかりと固定させて収納させればよい。
【００２２】
また、内装体３を有していない態様では内部気体が接触可能な収納体本体１の内面に、また内装体３を有している態様では内部気体が接触可能な、収納体本体１の内面と、内装体３の内面と、内装体３の外面との少なくともいずれかに、内部気体が接触可能な部位の面積を大きくするために高低差が０.１〜１.５ｍｍの凹凸が設けられている場合には、高低差が１.５ｍｍ以下の小さな凹凸であるから、収納体本体１や内装体３の内径をあまり大きくしなくても容易に凹凸が設けられるので、内部気体が流動できる収納体本体１内の空間の体積をフィクスチャーＸの骨埋入部Xaの体積の４倍以下に抑え易く、また高低差が小さ過ぎると加工が難しいが、高低差が０.１ｍｍ以上であるから比較的容易に加工ができる。
更に内装体３を有していない態様では内部気体が接触可能な収納体本体１の内面の十点平均粗さが、また内装体３を有している態様では内部気体が接触可能な、収納体本体１の内面と、内装体３の内面と、内装体３の外面との少なくともいずれかの十点平均粗さが３〜８μｍである場合には、簡単な表面処理を施すだけで内部気体が接触可能な収納体本体１の内面の面積や、収納体本体１と内装体３の内部気体が接触可能な部位の面積を容易に大きくすることができるのである。
【００２３】
また両態様において収納体本体１がチタン，チタン合金又はガラスのいずれかから形成されている場合や、内装体３を有する態様において内装体３がチタン又はチタン合金から形成されている場合には、収納体本体１や内装体３がフィクスチャーＸと同じチタンやチタン合金製であるから、不純物の付着のし易さが収納体本体１や内装体３とフィクスチャーＸの骨埋入部Xaとで同程度となり、相対的に表面積の小さいフィクスチャーＸに付着する不純物を確実に減らすことができ、また収納体本体１がガラスであれば安価且つ容易に製造できる。
そして両態様において、収納体本体１と蓋体２との間に装着される密閉用のパッキン４を更に有している場合には、減圧密閉した際にもその状態を維持し易く、またフィクスチャー用収納容器内に外部から不純物が侵入することもないのである。
【００２４】
次に、収納体本体１及び蓋体２がチタン製で、内部気体が流動できる空間の体積が４２０ｍｍ3である収納容器本体１の内面に凹凸や粗面化処理を施して内部気体が流動できる空間の体積を４３２ｍｍ3とした本発明に係るフィクスチャー用収納容器（実施例１及び２）と、収納体本体１の内面に凹凸を設けずまた内面に粗面化処理などを施していないため内部気体が流動できる空間の体積が４２０ｍｍ3であるフィクスチャー用収納容器（比較例１及び２）とを用いて、内部に収納されたフィクスチャーＸ（骨埋入部Xaの表面積：約３００ｍｍ2、骨埋入部Xaの体積：約１２０ｍｍ3）の骨埋入部Xaの表面に不純物がどの程度付着するかを確認する実験を行った。尚、いずれのフィクスチャー用収納容器にも内装体３は装着されていない。
【００２５】
各比較例（比較例１及び２）の収納体本体１では、内部気体が接触可能な内面の面積が約３１０ｍｍ2で、フィクスチャーＸの骨埋入部Xaの表面積（約３００ｍｍ2）と略同等となっており、フィクスチャーＸの骨埋入部Xaの表面積の５倍以上という本発明の要件を満たしていない。
これに対して、各実施例の収納体本体１は、内部気体が接触可能な内面の面積が約３２１０ｍｍ2（実施例１）及び約４６００ｍｍ2（実施例２）で、それぞれフィクスチャーＸの骨埋入部Xaの表面積の約１０倍（実施例１）と約１５倍（実施例２）となっており、フィクスチャーＸの骨埋入部Xaの表面積の５倍以上という本発明の要件を満している。
【００２６】
また各比較例（比較例１及び２）及び各実施例（実施例１及び２）の収納体本体１内の体積は４２０ｍｍ3及び４３２ｍｍ3で収納されるフィクスチャーＸの骨埋入部Xaの体積が約１２０ｍｍ3であることから、収納体本体１内で内部気体が流動できる空間の体積はフィクスチャーＸの骨埋入部Xaの体積（１２０ｍｍ3）のそれぞれ３.５倍と３.６倍であって本発明の要件である体積比１.３〜４倍を満たしている。
【００２７】
以上のように、各比較例（比較例１及び２）と各実施例（実施例１及び２）とでは、収納体本体１内で内部気体が流動できる空間の体積が略同程度であるから収納体本体１内に含まれる不純物の量が略同じとなる収納体本体１を使用して、各実施例（実施例１及び２）のみ収納体本体１の内部気体が接触可能な内面の面積を大きくして実験を行ったものである。
【００２８】
この実験では不純物の付着の程度を測定するために各フィクスチャー用収納容器から取り出したフィクスチャーＸの骨埋入部Xaの表面に水を滴下しその濡れ性を調べた。濡れ性とは固体表面の濡れ易さを表し、この濡れ性を示す指標としては、固体表面とそこに滴下した液体との接触角（固体表面と液体の端部表面とのなす角）が一般に用いられる。大気中に存在する不純物は埃や人間の皮脂などの疎水性のものが多く、固体表面にこのような不純物が多く付着している場合、液体を滴下すると、液体は半球に近い形状のまま大きく拡がらないので接触角は大きくなる。これに対して固体表面に殆ど不純物が付着していない場合には、固体表面は親水性を示し濡れ性が高く、固体表面に垂らした液体は薄い膜状に拡がって接触角は小さくなる。
【００２９】
（実験１）
実施例１では、収納体本体１の内面に高低差０.６ｍｍの凹凸を設け、更に内面を十点平均粗さ４.１μｍ程度で粗面化することで、収納体本体１の内面積が約３２００ｍｍ2となるようにして、フィクスチャーＸの骨埋入部Xaの表面積（約３００ｍｍ2）の約１０倍強の内面積を持たせた。
またこの実験ではフィクスチャー用収納容器内に不純物が少ない場合であっても、本発明に係るフィクスチャー用収納容器とその他のフィクスチャー用収納容器とでは収納されたフィクスチャーＸの骨埋入部Xaの表面に付着する不純物の量に差が出ることを示すために、各フィクスチャー用収納容器（実施例１及び比較例１）を０.１ｋＰａまで減圧して密閉した後に、３０日間室温で保管した。保管後、各フィクスチャー用収納容器からフィクスチャーＸを取り出してその骨埋入部Xaの表面に水を滴下してその接触角を測定した。
なおフィクスチャーＸの骨埋入部の表面積や各フィクスチャー用収納容器の内面積はガス吸着式表面積計（比表面積・細孔分布計，(株)島津製作所製）で測定した。
【００３０】
【表１】
2009045214.tif 000003
【００３１】
実施例１のフィクスチャー用収納容器に収納されていたフィクスチャーＸの骨埋入部Xaの表面には不純物の影響が殆ど現れず、滴下した水は薄く大きく拡がり高い濡れ性を示し、接触角は僅か５°であった。これに対して、比較例１のフィクスチャー用収納容器に収納されていたフィクスチャーＸの骨埋入部Xaの表面では滴下した水は大きく拡がらず、その接触角は５０°となった。両者を比較すれば、実施例１のフィクスチャー用収納容器に収納されていたフィクスチャーＸの骨埋入部Xaの表面には殆ど不純物が付着しなかったことが分かる。
【００３２】
（実験２）
また、予め各フィクスチャーＸの表面をArガスで洗浄化して、フィクスチャーＸの表面から不純物を十分に取り除いた状態で、フィクスチャー用収納容器内にフィクスチャーＸを収納し、更にフィクスチャー用収納容器内にArガスを充填して減圧等は行わずに密閉しした後に、３０日間室温で保管した。保管後、各フィクスチャー用収納容器からフィクスチャーＸを取り出してその骨埋入部Xaの表面に水を滴下してその接触角を測定した。
【００３３】
実施例２に係る収納体本体１にはその内面に高低差１.３ｍｍの凹凸を設け、更に内面を十点平均粗さ６.５μｍ程度で粗面化することで、収納体本体１の内面積が約４６００ｍｍ2となるようにして、フィクスチャーＸの骨埋入部Xaの表面積（約３００ｍｍ2）の約１５倍強の内面積を持たせた。
なおフィクスチャーＸの骨埋入部の表面積や各フィクスチャー用収納容器の内面積はガス吸着式表面積計（比表面積・細孔分布計，(株)島津製作所製）で測定した。
【００３４】
【表２】
2009045214.tif 000004
【００３５】
比較例２のフィクスチャー用収納容器に収納されていたフィクスチャーＸではその骨埋入部Xaの表面に滴下した水は大きく拡がらず、その接触角は５３°となった。比較例２の接触角（５３°）は比較例１の接触角（５０°）よりも大きくなったが、これは比較例１のように略真空化した場合に比べて、比較例２はフィクスチャーＸをArガスで洗浄したものであるが、Arガスを充填するだけであったため、不純物の付着を十分に防止できなかったことが原因であると考えられる。
このように実験２では不純物が僅かに多かったと考えられるが、実施例２では収納体本体１の内面の面積（４６００ｍｍ2）が実施例１の収納体本体１の内面の面積（３２００ｍｍ2）よりも大きく、実施例２ではその僅かに多い不純物のほとんどが内面の面積の大きな実施例２の収納体本体１の内面に付着したため、結果的に実施例２のフィクスチャー用収納容器に収納されていたフィクスチャーＸにはほとんど不純物が付着せず、収納されていたフィクスチャーＸの接触角は実施例１（５°）よりも小さい３°となったと考えられる。
【００３６】
以上のように、各実験からフィクスチャーＸが収納される収納体本体１の内面の面積の違いだけで、収納されていたフィクスチャーＸの骨埋入部Xaの表面に付着する不純物の量に大きな差が表れることが明らかとなった。
【図面の簡単な説明】
【００３７】
【図１】本発明に係るフィクスチャー用収納容器の一実施例を示す斜視図である。
【図２】図１のフィクスチャー用収納容器から蓋体を取り外した状態を示す斜視図である。
【図３】図２の平面図である。
【図４】図１の本発明に係るフィクスチャー用収納容器内にマウントが装着されたフィクスチャーが収納されている様子を示す要部断面説明図である。
【図５】収納されたフィクスチャーが蓋部に装着された押さえ棒によって固定されている様子を示す本発明に係るフィクスチャー用収納容器の他の実施例の要部断面説明図である。
【図６】図５のフィクスチャー用収納容器から蓋体とフィクスチャーとを取り外した状態を示す平面図である。
【図７】収納体本体内から内装体を取り外した様子を示す本発明に係るフィクスチャー用収納容器の更に他の実施例を示す斜視図である。
【符号の説明】
【００３８】
１  収納体本体
２  蓋体
３  内装体
４  密閉用のパッキン
５  マウント
６  押さえ棒
Ｘ  フィクスチャー
Xa  骨埋入部
【図１】
2009045214.tif 000005
【図２】
2009045214.tif 000006
【図３】
2009045214.tif 000007
【図４】
2009045214.tif 000008
【図５】
2009045214.tif 000009
【図６】
2009045214.tif 000010
【図７】
2009045214.tif 000011